(57)【要約】【課題】  本発明の目的は、特定の通話相手からの電話を着信した電話機との間で予め定められた情報通信を行う情報処理装置を提供することである。【解決手段】  第１の電話機（ＭＰ２）と通話可能な第２の電話機（ＭＰ１）に対して無線通信を行う無線部（１１２）と、前記第１の電話機の電話番号に対する所定の処理を記憶する記憶部（１１４）と、前記第１の電話機の電話番号を前記第２の電話機から受け取ると、前記所定の処理を実行する処理部（１１１）とを備える情報処理装置。【選択図】  図１
2005286791.tif 000002
【特許請求の範囲】
【請求項１】
第１の電話機と通話可能な第２の電話機に対して無線通信を行う無線部と、
前記第１の電話機の電話番号に対する所定の処理を記憶する記憶部と、
前記第１の電話機の電話番号を前記第２の電話機から受け取ると、前記所定の処理を実行する処理部と
を備える情報処理装置。
【請求項２】
前記第１の電話機との通話後に、前記記憶部に前記第１の電話機の電話番号に対する所定の処理を記憶させることを特徴とする請求項１記載の情報処理装置。
【請求項３】
前記所定の処理は、自動応答、自動拒絶、選択応答、または、メッセージ入り着信通知のいずれか一つを行うことを特徴とする請求項１記載の情報処理装置。
【発明の詳細な説明】
【技術分野】
【０００１】
本発明は、情報処理装置に関し、特に、Ｂｌｕｅｔｏｏｔｈ（登録商標）などの近距離用無線データ通信方式を用いて携帯電話機との間で情報のやり取りをする情報処理装置に関する。
【背景技術】
【０００２】
近年、携帯電話機が普及し、さらにＢｌｕｅｔｏｏｔｈ等の近距離用無線データ通信方式に対応した携帯電話機も出てきている。このＢｌｕｅｔｏｏｔｈ対応の携帯電話機と、やはりＢｌｕｅｔｏｏｔｈ対応のヘッドセットを利用することによってハンズフリーで通話することができるようになってきている。
【０００３】
一方、従来の電話装置では、特定の相手からの電話を着信時の状況により処理を選択し、着信者側主体の電話機を提供している（例えば特許文献１参照）。
【特許文献１】特開２００２−１３５３７１号公報（第２、３頁、図２）
【発明の開示】
【発明が解決しようとする課題】
【０００４】
しかし、上述した従来の電話装置では、電話装置単体の場合において、特定の相手からの電話を着信時の状況により処理を選択できるのみであった。
【０００５】
本発明の目的は、電話機との間で予め定められた情報通信を行う情報処理装置を提供することである。
【課題を解決するための手段】
【０００６】
第１の発明は、第１の電話機と通話可能な第２の電話機に対して無線通信を行う無線部と、前記第１の電話機の電話番号に対する所定の処理を記憶する記憶部と、前記第１の電話機の電話番号を前記第２の電話機から受け取ると、前記所定の処理を実行する処理部とを備える情報処理装置である。
【０００７】
第２の発明は、前記第１の電話機との通話後に、前記記憶部に前記第１の電話機の電話番号に対する所定の処理を記憶させることを特徴とする第１の発明記載の情報処理装置である。
【０００８】
第３の発明は、前記所定の処理は、自動応答、自動拒絶、選択応答、または、メッセージ入り着信通知のいずれか一つを行うことを特徴とする第１の発明記載の情報処理装置である。
【発明の効果】
【０００９】
本発明によれば、電話機との間で予め定められた情報通信を行う情報処理装置を提供することができる。
【発明を実施するための最良の形態】
【００１０】
以下、本発明の実施の形態について図面を参照しながら説明する。
【００１１】
図１は、本発明の実施形態に係る情報処理装置の概略構成図である。ここでは一例として、Ｂｌｕｅｔｏｏｔｈ通信方式に対応したハンズフリーヘッドセットについて説明する。ハンズフリーヘッドセット１００と携帯電話機ＭＰ１（１５０）は同じユーザが使用しており、Ｂｌｕｅｔｏｏｔｈのハンズフリープロファイル(ＨＦＰ; Hands Free Profile)のＳＣＯ（Synchronous Connection Oriented;音声データ送／受信用（双方向同時通話））接続されている。同時にＭＰ１（１５０）は通話相手の携帯電話機ＭＰ２（１７０）と公衆電話回線を介して接続している。
【００１２】
すなわち、マイクロフォン１１９から入力された音声は、Ａ／Ｄ変換アンプ回路１１７、送信用データバッファ１１５及びデジタルデータ変調部１１２の順に信号処理され、ＭＰ１（１５０）を経由してＭＰ２（１７０）へ送信される。一方、ＭＰ２（１７０）からの音声データはＭＰ１（１５０）を経由して受信部１１３で受信し、受信用データバッファ１１６、Ｄ／Ａ変換アンプ回路１１８及びスピーカ１２０の順に信号処理され、音声出力される。これにより、ハンズフリーヘッドセット１００は、ＭＰ１（１５０）を介して、相手側ＭＰ２（１７０）との音声通話が可能となっている。
【００１３】
上記状態において、通話開始時にデータファイル処理部１１１はハンズフリープロファイルによって、デジタルデータ変調部１１２を介してＭＰ１へＭＰ２の電話番号要求を実行する。その返事としてＭＰ１（１５０）より受信部１１３を介して、電話番号がデータファイル処理部１１１に送られる。
【００１４】
データファイル処理部１１１は通話終了時に「登録ボタン（１３１）」が押下された場合は、ユーザが予め設定したセレクター１３２の位置により以下の処理を行う。
【００１５】
セレクター１３２の位置が「自動応答」である場合、返された電話番号を自動応答としてデータファイル１１４に登録し、次回にその番号からかかってきたときにはハンズフリーヘッドセット１００からＭＰ１に受話ＯＫのコマンドを出す。
【００１６】
セレクター１３２の位置が「自動拒絶」である場合、返された電話番号を自動拒絶としてデータファイル１１４に登録し、次回にその番号からかかってきたときにはハンズフリーヘッドセット１００からＭＰ１に受話拒絶のコマンドを出す。
【００１７】
セレクター１３２の位置が「選択応答」であった場合は、返された電話番号を選択応答としてデータファイル１１４に登録し、次回にその番号からかかってきたときにはハンズフリーヘッドセット１００で着信の警告音（ただし登録のないもの（特定の着メロ等）とは別の警告音）を鳴らす。
【００１８】
セレクター１３２の位置がメッセージであった場合は、返された電話番号をメッセージ警告としてデータファイル１１４に登録し、次回にその番号からかかってきたときにはハンズフリーヘッドセット１００着信の警告音のかわりに登録したメッセージを鳴らす。このときのメッセージは登録ボタンを押した直後に話した内容であり自由に登録できるものとする。
【００１９】
図２は、ユーザ操作によって「登録ボタン（１３１）」が押下された際のデータファイル処理部１１１が行う登録処理を示すフローチャートである。
【００２０】
まず、ハンズフリーヘッドセットのステータスが通話開始状態になっているかどうかを判別する処理を実行する（Ｓ２００）。通話開始されていない場合は、この判別処理を通話開始するまで待機する。
【００２１】
通話開始状態になった場合には、ハンズフリーヘッドセットはＭＰ１に「（ＭＰ２の）電話番号」を要求する処理を実行する（Ｓ２０１）。その後、通話終了まで待機する（Ｓ２０２）。通話終了時に「登録ボタン（１３１）」が押下されたかをチェックする（Ｓ２０３）。押下されていなければ処理を終了する。
【００２２】
押下されていた場合には（ＭＰ２に関する）電話番号要求への返事がＭＰ１からされているかチェックする（Ｓ２０４）。返事がない場合は処理を終了する。
【００２３】
電話番号の返事がされていた場合にはセレクター（１３２）が自動応答であるかチェックする（Ｓ２０５）。自動応答である場合には、返された電話番号を自動応答する番号としてデータファイル１１４に登録する（Ｓ２０６）。
【００２４】
一方、セレクター１３２が自動応答でない場合（Ｓ２０５のＮｏ）、セレクター１３２が自動拒絶であるかチェックする（Ｓ２０７）。自動拒絶である場合には、返された電話番号を自動拒絶する番号としてデータファイル１１４に登録する（Ｓ２０８）。
【００２５】
また、セレクター１３２が自動拒絶でない場合（Ｓ２０７のＮｏ）、セレクター１３２が選択応答であるかチェックする（Ｓ２０９）。選択応答である場合には、返された電話番号を選択応答する番号としてデータファイル１１４に登録する（Ｓ２１０）。
【００２６】
さらに、セレクター１３２が選択応答でもない場合には、セレクター１３２はメッセージ応答であるため、返された電話番号をメッセージ応答する番号としてデータファイル１１４に登録し、さらに、マイクロフォン１１９からのメッセージもデータファイル１１４に登録を行う（Ｓ２１１）。
【００２７】
図３は、本実施形態に係るハンズフリーヘッドセットが上述した登録に基づいて応答する処理のフローチャートである。
【００２８】
この応答をするためには、ハンズフリーヘッドセット１００はＭＰ１（１５０）とのＢｌｕｅｔｏｏｔｈ接続時に、通話相手であるＭＰ２（１７０）の電話番号を受け取る必要がある。このようなＢｌｕｅｔｏｏｔｈ接続時にＭＰ２（１７０）の電話番号をＭＰ１（１５０）から受け取るコマンドとしては、ハンズフリープロファイルの"AT+CLIP"コマンド（Standard"Calling Line Identification notification" activation AT command）を利用すればよい。
【００２９】
すなわち、ＭＰ１（１５０）から接続要求を受ける（Ｓ３０１）と、ハンズフリーヘッドセット１００は接続処理を実行する（Ｓ３０２）。この接続前に"AT+CLIP"で着信時に電話番号を送るように要求しておけば、通話相手であるＭＰ２（１７０）の電話番号を受け取ることができる。
【００３０】
受け取った電話番号がデータファイル１１４の中にあるかを調べる（Ｓ３０３）。
【００３１】
ある場合には、データファイル１１４に応じた自動受付処理（例えば自動応答など）を行う（Ｓ３０４）。一方、無い場合には、図２で説明した通常の通話処理を開始する（Ｓ３０５）。
【００３２】
本実施形態によれば、Ｂｌｕｅｔｏｏｔｈに対応したハンズフリーヘッドセットを使用してＭＰとＢｌｕｅｔｏｏｔｈ接続し、相手側のＭＰと音声通話終了時に、相手の電話番号を自動応答、自動拒絶、選択応答、メッセージ応答として登録することで、次回その番号からかかってきたときに自動的に自動応答、自動拒絶、選択応答、メッセージ応答に振り分けることが可能である。
【００３３】
また、この方法であれば電話番号の表示用のモニタあるいはＬＣＤなどを持たない装置であっても、電話番号で選択的に自動応答等の処理を行うことが可能である。
【００３４】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、Ｂｌｕｅｔｏｏｔｈ以外の無線通信方式で携帯電話機と接続してもよい。
【図面の簡単な説明】
【００３５】
【図１】本発明の実施形態に係る情報処理装置の概略構成図。
【図２】本実施形態に係るハンズフリーヘッドセットの登録ボタンが押下された際の登録処理を示すフローチャート。
【図３】本実施形態に係るハンズフリーヘッドセットが図２の登録に基づいて応答する処理のフローチャート。
【符号の説明】
【００３６】
１００  ハンズフリーヘッドセット
１１１  データファイル処理部
１１２  デジタルデータ変調部
１１３  受信部
１１５  送信用データバッファ
１１６  受信用データバッファ
１１７  Ａ／Ｄ変換アンプ回路
１１８  Ｄ／Ａ変換アンプ回路
１１９  マイクロフォン
１２０  スピーカ
１３１  登録ボタン
１３２  セレクター
【図１】
2005286791.tif 000003
【図２】
2005286791.tif 000004
【図３】
2005286791.tif 000005